(57)【要約】【課題】足の指に自由度を高めスポーツのパフォーマンス能力を高め、且つ、疲労度を低減させることが可能な靴下を提供すること。【解決手段】請求項１記載の靴下は、爪先部を着用者の指の付け根に接する付近から形成した。また請求項２記載に靴下は、請求項１記載の靴下において着用者の第一趾中足関節に接する付近にマチ部を設けた。請求項３記載の靴下は請求項１又は２記載の靴下にいおて甲部から足底部にかけてサポータ編み部を設けた。請求項４の靴下は請求項１、２又は３記載の靴下において甲部を交点とし端点が足首部及び足底部に至る略Ｘ字状のメッシュ編み部を設けた。【選択図】  図１
2005009011.tif 000002
【特許請求の範囲】
【請求項１】
爪先部１を着用者の指の付け根に接する付近から形成したことを特徴とする靴下。
【請求項２】
着用者の第一趾中足関節に接する付近にマチ部２を設けた請求項１記載の靴下。
【請求項３】
甲部から足底部にかけてサポータ編み部３を設けた請求項１又は２記載の靴下。
【請求項４】
甲部を交点とし端点が足首部及び足底部に至る略Ｘ字状のメッシュ編み部４を設けた請求項１、２又は３記載の靴下。
【発明の詳細な説明】
【０００１】
【発明の属する技術分野】
本発明は靴下に関し、より詳しくは着用者の爪先に対する締めつけを小さくすること等で運動時の爪先の疲れ、その他足への負担を減少させることが可能な主にスポーツ時着用することを目的とする靴下に関する。
【０００２】
【従来の技術】
図５は従来の靴下の正面図である。靴下は一般に口ゴム部Ａ、脚部Ｂ及び足部Ｃの３部に大別される。
【０００３】
口ゴム部Ａはゴム編みやゴム糸を挿入した平編みで編成することで伸縮性を大きくし、靴下のずれ落ちを防止する役目を果たす。
【０００４】
脚部Ｂは平編み等の任意の組織で編成する。
【０００５】
足部Ｃは更に踵部Ｃ１、足甲部Ｃ２、足底部Ｃ３及び爪先部Ｃ４の各部に分かれる。踵部Ｃ１及び爪先部Ｃ４はゴアラインを中心として何回も減らし目、増やし目を行って編成する。足甲部Ｃ２及び足底部Ｃ３は平編み等の任意の組織で編成する。
【０００６】
かように編成される靴下でスポーツ用に特化したものとして足の形状に合わせて、つまり左足用右足用がある靴下が製造販売されている。
【０００７】
また特開平９−３１７０６号公報において、足の指の付け根部分を外包緊締するための弾性リング部を設けたスポーツ用靴下が提案されている。
【０００８】
【特許文献１】
特開平９−３１７０６号公報
【０００９】
【発明が解決しようとする課題】
多くのスポーツにおいて足の指、殊に第一趾は重要な役目を果たす。ふんばり、走りあるいは踏み切る時等に中心的な役割を担うからである。
【００１０】
ところが従来の一般的な靴下においては爪先部は足の爪から若干足指の付け根より付近から編成されており、足指に対する締めつけ感があり自由度が小さい。このことは従来例に示した左右の形状に合わせて編成された靴下においても変わりはない。また特開平９−３１７０６号公報記載の発明は、逆に爪先をより強度に締めつけることを目的としたものであり、爪先の自由度は一般の靴下以上に小さい。
【００１１】
かように爪先の自由度が小さい靴下を着用してスポーツを行うと、パフォーマンス能力が下がると共に足指の疲労度も高まってしまう。
【００１２】
そこで本発明は足の指に自由度を高めスポーツのパフォーマンス能力を高め、且つ、疲労度を低減させることが可能な靴下を提供することを目的とする。
【００１３】
【課題を解決するための手段】
上記課題を解決するために請求項１記載の靴下は、爪先部を着用者の指の付け根に接する付近から形成した。
【００１４】
また請求項２記載に靴下は、請求項１記載の靴下において着用者の第一趾中足関節に接する付近にマチ部を設けた
請求項３記載の靴下は請求項１又は２記載の靴下にいおて甲部から足底部にかけてサポータ編み部を設けた。
【００１５】
請求項４の靴下は請求項１、２又は３記載の靴下において甲部を交点とし端点が足首部及び足底部に至る略Ｘ字状のメッシュ編み部を設けた。
【００１６】
以下かように構成される本発明記載の靴下が如何に作用して課題を解決するかを図面を参照しながら述べる。
【００１７】
図１は本発明に係る靴下を正面方向から見た図であり、図２は本発明に係る靴下を底面方向から見た図であり、図３は本発明の使用状態図であり、図４は足の形態図である。
【００１８】
図１乃至図３に示すように本発明に係る靴下は爪先部１が指の付け根付近から形成されており、爪先部１の縮まりが緩やかになることから足指に対する締めつけが小さくなり、足指の自由度が高まるのである。
【００１９】
また人の足で最も厚みがあるのは第一趾の中足関節付近である。ここに中足関節とは図４に示すように指の付け根にある関節である。本発明に係る靴下は着用者の第一趾中足関節に接する付近にマチ部２を設けることでゆとりをもたせ、足指に対する開放感を更に増しているのである。
【００２０】
更に本発明に係る靴下は甲部から足底部にかけてサポータ編み部３を設けてある。このサポータ編み部３は靴下装着時に靴下がずれることを防止するために設けてある。すなわち甲部から足底部にかけて設けられたサポータ編み部３が着用時に足を締めつけ靴下がずれることが防止される。
【００２１】
これにより靴下がずれ落ちて爪先部１がだぶついたり、あるいはずり上がって爪先部１のゆとりがなくなってしまうことを防止できる。すなわち爪先の自由度を維持することが可能となるのである。
【００２２】
また本発明に係る靴下は略Ｘ字状のメッシュ編み部４が設けられている。メッシュ編み部４は他の部分より薄手に編成されていることから、着用時における足の捻じれや屈曲に伴う靴下の引張りやずれを吸収緩和することが可能となる。すなわち爪先の自由度を維持することが可能となるのである。
【００２３】
かように本発明に係る靴下は爪先の自由度を高めることが可能になり、もってスポーツのパフォーマンス能力を高め、且つ、疲労度を低減させることが可能となるのである。
【００２４】
【発明の実施の形態】
以下好ましい発明の一実施形態につき図面を参照しながら述べる。
【００２５】
本発明に係る靴下の編成方法は爪先部１、マチ部２、サポータ編み部３及びメッシュ編み部４を除き通常の靴下と同様の方法によって構わない。よって以下爪先部１、マチ部２、サポータ部３及びメッシュ編み部４につき述べる。
【００２６】
爪先部１は通常の靴下の爪先部に比べ約２倍の長さを有する。具体的には従来靴下の爪先部の先端部分からリンキングコースまでの距離は約３ｃｍ程度であるが、本発明に係る靴下では６ｃｍ程度である。
【００２７】
編成方法は従来靴下では同じ編み方を１コースのみ行い、減らし目増やし目を行いつつ編成しているいるが、本靴下においては例えば同じ編み方を２コース行いながら減らし目増やし目を行いつつ編成するといった方法を採っている。また、締め付け感を緩和するために爪先部のアールは緩やかに縮めることが好ましい。
【００２８】
マチ部２は着用者の第一趾中足関節に接する付近、具体的には爪先部１に接する正面側及び背面側に設けてある。両側に設けてあるのは本発明に係る靴下は左右の違いがないからである。
【００２９】
このマチ部２は当該部分の編み目数を増やすことで編成してある。
【００３０】
サポータ編み部３は甲部から足底部にかけて周回する形状に設けてある。具体的編成方法は、当該部分においてゴム糸等の弾性糸を挿入して編成するといった方法による。
【００３１】
メッシュ編み部４は甲部を交点とし端点が足首部及び足底部に至る略Ｘ字状に設けてある。編成方法は通常のメッシュ編みによるものである。
【００３２】
【発明の効果】
本発明は以上のように構成されていることから、足の指の自由度が高まり、もってスポーツパフォーマンス能力を高め、且つ、疲労度を低減させることが可能な靴下を提供することが可能となるのである。
【図面の簡単な説明】
【図１】本発明に係る靴下を正面方向から見た図。
【図２】本発明に係る靴下を底面方向から見た図。
【図３】本発明の使用状態図。
【図４】足の形態図。
【図５】従来靴下の正面図。
【符号の説明】
１・・爪先部      ２・・マチ部
３・・サポータ編み部      ４・・メッシュ編み部
【図１】
2005009011.tif 000003
【図２】
2005009011.tif 000004
【図３】
2005009011.tif 000005
【図４】
2005009011.tif 000006
【図５】
2005009011.tif 000007